(57)【要約】【課題】  機器ケースの開閉構造が簡単で、機器ケースの開閉操作が容易にでき、部品交換や保守点検などのメンテナンスを向上させることができる情報処理装置を提供する。【解決手段】  上部ケース７が下部ケース８に対し開閉する機器ケース１内に、各種の部品を搭載した部品ユニット１３を設けた情報処理装置であって、上部ケース７を下部ケース８に対し支点部２１によって回動可能に支持すると共に、上部ケース７が所定角度に開いた際に下部ケース８から上部ケース７を取り外し可能に支持し、且つこの支点部２１を中心に上部ケース７が回動して所定角度に開いた際に、ストッパ部材２２によって上部ケース７が閉じる方向に回動するのを阻止するように構成した。従って、機器ケース１の開閉構造における部品点数が少なく、機器ケース１の開閉構造が簡単で、機器ケース１の開閉操作が容易にでき、部品交換や保守点検などのメンテナンスを向上させることができる。【選択図】        図３
2010181944.tif 000002
【特許請求の範囲】
【請求項１】
上部ケースが下部ケースに対して開閉する機器ケース内に、各種の部品を搭載した部品ユニットが設けられた情報処理装置であって、
前記上部ケースを前記下部ケースに対して回動可能に支持すると共に、前記上部ケースが回動して前記下部ケースに対して所定角度に開いた際に前記下部ケースに対して前記上部ケースを取り外し可能に支持する支点部と、
この支点部を中心に前記上部ケースが回動して前記下部ケースに対して前記所定角度に開いた際に前記上部ケースが閉じる方向に回動するのを阻止するストッパ部材と、
を備えていることを特徴とする情報処理装置。
【請求項２】
前記支点部は、前記下部ケース側に設けられた係止支持部と、前記上部ケース側に設けられて前記係止支持部に係脱可能に係合する係合軸部とを備え、前記上部ケース側の前記係合軸部が前記下部ケース側の前記係止支持部に係合した状態で前記上部ケースが前記下部ケースに対して回動すると共に、前記上部ケースが回動して前記下部ケースに対して前記所定角度に開いた際に前記係止支持部に対する前記係合軸部の係合が解除可能に構成されていることを特徴とする請求項１に記載の情報処理装置。
【請求項３】
前記ストッパ部材は、前記支点部を中心に前記上部ケースが前記下部ケースに対して回動する際に、前記上部ケースと共に一端部が移動し、その他端部が前記下部ケース側を移動する連動支持部と、前記上部ケースが回動して前記下部ケースに対して前記所定角度に開いた際に、前記連動支持部の前記他端部を係止して前記上部ケースが閉じる方向に回動するのを阻止するストッパ片とを備えていることを特徴とする請求項１または請求項２に記載の情報処理装置。
【請求項４】
前記支点部を中心に前記上部ケースが前記下部ケースに対して回動する際に、前記上部ケースを前記下部ケースに対してガイドするガイド部材を備えていることを特徴とする請求項１〜請求項３のいずれかに記載の情報処理装置。
【請求項５】
前記上部ケース上には、情報を表示する表示装置が支持部材によって前後方向の傾きを調整可能に取り付けられていることを特徴とする請求項１〜請求項４のいずれかに記載の情報処理装置。
【請求項６】
前記ストッパ部材は、前記表示装置を前記上部ケースに取り付けた状態で、前記上部ケースが前記支点部を中心に回動して前記下部ケースに対して前記所定角度に開いた際に、前記表示装置の重心位置が前記ストッパ部材の前記ストッパ片よりも前記機器ケースの前側に位置し、この状態で前記ストッパ片が前記連動支持部の前記他端部を係止して前記上部ケースを前記下部ケースに対して支持することを特徴とする請求項５に記載の情報処理装置。
【発明の詳細な説明】
【技術分野】
【０００１】
この発明は、事務処理を行うデータ処理装置やパーソナルコンピュータなどの情報処理装置に関する。
【背景技術】
【０００２】
一般に、事務処理を行うデータ処理装置などの情報処理装置においては、電子部品の交換や保守点検などのメンテナンスを容易にするために、特許文献１に記載されているように、各種の電子部品を搭載したケース本体上に回転板を回動可能に取り付け、この回転板上にスライド板をスライド可能に取り付け、更にこのスライド板上に上蓋を取り付けた構成のものが知られている。
【先行技術文献】
【特許文献】
【０００３】
【特許文献１】特開２００４−３１０６９７号公報
【０００４】
このような情報処理装置では、上蓋を開く際に、まず、上蓋をスライド板と共に回転板に対してケース本体の前側に向けてスライドさせ、この後、上蓋をスライド板および回転板と共に押し上げると、回転板がケース本体に対して上方に回動することにより、ケース本体の上方に上蓋をスライド板および回転板と共に回動させて開くことができ、これによりケース本体内に組み込まれた電子部品の交換や保守点検が行えるようになっている。
【０００５】
また、この情報処理装置では、上蓋を閉じる際に、上蓋をスライド板および回転板と共に押し下げると、回転板がケース本体に対して回動することにより、上蓋がスライド板および回転板と共にケース本体上にその前側に突出した状態で配置され、この状態で上蓋をスライド板と共に回転板に対してケース本体の後側に向けてスライドさせることにより、上蓋によってケース本体を閉じるようになっている。
【発明の概要】
【発明が解決しようとする課題】
【０００６】
しかしながら、このような従来の情報処理装置では、各種の電子部品を搭載したケース本体上に回転板を回動可能に取り付け、この回転板上にスライド板をスライド可能に取り付け、このスライド板上に更に上蓋を取り付けた構成であるから、上蓋の開閉構造としての部品点数が多く、上蓋の開閉構造が複雑であるばかりか、上蓋の開閉操作が煩雑で、面倒であるという問題がある。
【０００７】
すなわち、この従来の情報処理装置では、上蓋を開く際に、上蓋をスライド板と共に回転板に対してケース本体の前側に向けてスライドさせた後に、上蓋をスライド板および回転板と共に押し上げて、ケース本体の上方に開かなければならず、また上蓋を閉じる際には、上蓋をスライド板および回転板と共に押し下げて、回転板をケース本体に対して回動させることにより、上蓋をスライド板および回転板と共にケース本体上にその前側に突出させた状態で配置し、この状態で上蓋をスライド板と共に回転板に対してケース本体の後側に向けてスライドさせなければ、上蓋によってケース本体を良好に塞ぐことができない。
【０００８】
この発明が解決しようとする課題は、機器ケースの開閉構造が簡単で、機器ケースの開閉操作が容易にでき、電子部品の交換や保守点検などのメンテナンスを向上させることができる情報処理装置を提供することである。
【課題を解決するための手段】
【０００９】
この発明は、上記課題を解決するために、次のような構成要素を備えている。
請求項１に記載の発明は、上部ケースが下部ケースに対して開閉する機器ケース内に、各種の部品を搭載した部品ユニットが設けられた情報処理装置であって、前記上部ケースを前記下部ケースに対して回動可能に支持すると共に、前記上部ケースが回動して前記下部ケースに対して所定角度に開いた際に前記下部ケースに対して前記上部ケースを取り外し可能に支持する支点部と、この支点部を中心に前記上部ケースが回動して前記下部ケースに対して前記所定角度に開いた際に前記上部ケースが閉じる方向に回動するのを阻止するストッパ部材と、を備えていることを特徴とする情報処理装置である。
【００１０】
請求項２に記載の発明は、前記支点部が、前記下部ケース側に設けられた係止支持部と、前記上部ケース側に設けられて前記係止支持部に係脱可能に係合する係合軸部とを備え、前記上部ケース側の前記係合軸部が前記下部ケース側の前記係止支持部に係合した状態で前記上部ケースが前記下部ケースに対して回動すると共に、前記上部ケースが回動して前記下部ケースに対して前記所定角度に開いた際に前記係止支持部に対する前記係合軸部の係合が解除可能に構成されていることを特徴とする請求項１に記載の情報処理装置である。
【００１１】
請求項３に記載の発明は、前記ストッパ部材が、前記支点部を中心に前記上部ケースが前記下部ケースに対して回動する際に、前記上部ケースと共に一端部が移動し、その他端部が前記下部ケース側を移動する連動支持部と、前記上部ケースが回動して前記下部ケースに対して前記所定角度に開いた際に、前記連動支持部の前記他端部を係止して前記上部ケースが閉じる方向に回動するのを阻止するストッパ片とを備えていることを特徴とする請求項１または請求項２に記載の情報処理装置である。
【００１２】
請求項４に記載の発明は、前記支点部を中心に前記上部ケースが前記下部ケースに対して回動する際に、前記上部ケースを前記下部ケースに対してガイドするガイド部材を備えていることを特徴とする請求項１〜請求項３のいずれかに記載の情報処理装置である。
【００１３】
請求項５に記載の発明は、前記上部ケース上に、情報を表示する表示装置が支持部材によって前後方向の傾きを調整可能に取り付けられていることを特徴とする請求項１〜請求項４のいずれかに記載の情報処理装置である。
【００１４】
請求項６に記載の発明は、前記ストッパ部材が、前記表示装置を前記上部ケースに取り付けた状態で、前記上部ケースが前記支点部を中心に回動して前記下部ケースに対して前記所定角度に開いた際に、前記表示装置の重心位置が前記ストッパ部材の前記ストッパ片よりも前記機器ケースの前側に位置し、この状態で前記ストッパ片が前記連動支持部の前記他端部を係止して前記上部ケースを前記下部ケースに対して支持することを特徴とする請求項５に記載の情報処理装置である。
【発明の効果】
【００１５】
この発明によれば、各種の部品を搭載した部品ユニットが機器ケースの下部ケース内に配置された状態で、機器ケースの上部ケースを下部ケースに対して開閉する際に、支点部を中心に上部ケースを下部ケースに対して回動させるだけで、上部ケースを下部ケースに対して容易に開閉することができると共に、上部ケースが回動して下部ケースに対して所定角度に開いた際に上部ケースを下部ケースから取り外すことができるので、組立て作業性の向上をも図ることができる。
【００１６】
また、上部ケースを下部ケースに対して所定角度に開いた際には、ストッパ部材によって上部ケースを下部ケースに対して安定した状態で確実に支持することができる。このため、機器ケースの開閉構造における部品点数が少なく、機器ケースの開閉構造が簡単であるばかりか、機器ケースの開閉操作性が良く、部品ユニットの部品交換や保守点検が容易にできるので、部品ユニットのメンテナンスを向上させることができる。
【図面の簡単な説明】
【００１７】
【図１】この発明を適用した情報処理装置の一実施形態を示した正面側の斜視図である。
【図２】図１の情報処理装置を裏面側から見た斜視図である。
【図３】図１の情報処理装置において機器ケースの上部ケースを下部ケースに対して所定角度に開いた状態を示した斜視図である。
【図４】図１の情報処理装置において上部ケースのみを取り外した状態を示した斜視図である。
【図５】図４の状態で装置本体からシールドケースを取り外した状態を示した斜視図である。
【図６】図３の上部ケースを裏面側の斜め下側から見た斜視図である。
【図７】図１の情報処理装置において開閉機構に対応する箇所を破断して示した斜視図である。
【図８】図７の開閉機構部における要部を示した拡大斜視図である。
【図９】図８の開閉機構部において上部ケースを所定角度に開いた状態を示した要部の拡大斜視図である。
【図１０】図３のロック部材におけるスライド操作部を上部ケースの内側から見た状態を示した要部の拡大斜視図である。
【図１１】図３のロック部材におけるロック孔部を示した要部の拡大斜視図である。
【図１２】図５においてマザーボードの後部を本体シャーシに着脱可能に取り付ける取付構造を示した要部の拡大斜視図である。
【図１３】図５における回転式記録装置を本体シャーシに取り付けるための取付構造を示した要部の拡大側面図である。
【図１４】図１３の分解斜視図である。
【図１５】図５においてシールドケースを所定角度に開いた状態を示した斜視図である。
【図１６】図１５においてハードディスクを一対の取付板から取り外した状態を示した斜視図である。
【図１７】図１６において一対の取付板の前側フック部および後側フック部から各ブッシュを取り外した状態を示した斜視図である。
【発明を実施するための形態】
【００１８】
以下、図１〜図１７を参照して、この発明を情報処理装置に適用した一実施形態について説明する。
この情報処理装置は、販売管理、会計、給与計算などの事務処理を行うデータ処理装置であり、図１および図２に示すように、機器ケース１と入力表示装置２とを備えている。入力表示装置２は、入力表示ケース３の内部に入力表示パネル４を備え、入力表示ケース３が支持部材５によって機器ケース１の装置搭載部６上に起立した状態で支持されるように構成されている。
【００１９】
この場合、入力表示ケース３は、図２に示すように、支持部材５によって前後方向に自由に傾くと共に縦方向に回転して入力表示パネル４が横長の表示状態と縦長の表示状態とに切り替わるように機器ケース１上に支持されている。また、入力表示パネル４は、表示パネルの表面に透明なタッチパネルを重ね合わせたものであり、図１に示すように、透明なタッチパネルが入力表示ケース３の開口部３ａから露出し、この状態で表示パネルに表示された情報を見ながら透明なタッチパネルをタッチ操作して情報を入力するように構成されている。
【００２０】
機器ケース１は、図１〜図３に示すように、上部ケース７と下部ケース８とを備え、これらの内部に装置本体１０が設けられるように構成されている。この場合、上部ケース７の上面における前部(図２では右側)には、入力表示装置を搭載する装置搭載部６が設けられている。また、装置本体１０は、図３および図４に示すように、下部ケース８内に配置される金属製の本体シャーシ１１と、この本体シャーシ１１の上側を覆う金属製のシールドケース１２とを備えている。
【００２１】
本体シャーシ１１は、図５に示すように、部品ユニット１３を搭載して下部ケース８内に取り付けられている。部品ユニット１３は、主要回路基板であるマザーボード１４、補助回路基板１５、冷却ファン１６、回転式記録装置１７、ハードディスク１８などの各種の部品を備え、本体シャーシ１１に組み付けられた状態で、下部ケース８の上方に突出している。また、シールドケース１２は、図４に示すように、部品ユニット１３の各種の部品を静電気から保護するためのものであり、図６に示すように、機器ケース１の上部ケース７内に取り付けられて、下部ケース８の上方に突出した部品ユニット１３の各部品を覆うように構成されている。
【００２２】
ところで、機器ケース１は、図３に示すように、上部ケース７が下部ケース８に対して開閉するように構成されている。すなわち、上部ケース７は、図７に示すように、その内部に取り付けられたシールドケース１２が下部ケース８内に取り付けられた本体シャーシ１１に開閉機構部２０によって上下方向に回動可能に取り付けられている。この開閉機構部２０は、図８および図９に示すように、上部ケース７内のシールドケース１２の後端部を下部ケース８内の本体シャーシ１１の後端部上に回動可能に支持する支点部２１と、上部ケース７をシールドケース１２と共に下部ケース８に対して所定角度に開いた状態で下部ケース８側の本体シャーシ１１に対して支持するためのストッパ部材２２とを備えている。
【００２３】
支点部２１は、図８および図９に示すように、下部ケース８内の本体シャーシ１１における後端上部に設けられた係止支持部２３と、上部ケース７内のシールドケース１２の後端下部に設けられて本体シャーシ１１の係止支持部２３に係脱可能に係合して支持される係合軸部２４とを備えている。この場合、支点部２１は、シールドケース１２の係合軸部２４が本体シャーシ１１の係止支持部２３に係合した状態で、上部ケース７がシールドケース１２と共に上方に向けて回動して下部ケース８側の本体シャーシ１１に対して所定角度に開いた際に、係止支持部２３に対する係合軸部２４の係合が解除可能な状態になるように構成されている。
【００２４】
すなわち、下部ケース８内の本体シャーシ１１における後端上部に設けられた係止支持部２３は、図８および図９に示すように、前側上部が開放されたフック形状の軸受部である。また、上部ケース７内のシールドケース１２の後端下部に設けられた係合軸部２４は、本体シャーシ１１の係止支持部２３に回転自在に配置されて保持される軸部である。この係合軸部２４は、係止支持部２３に回動可能に保持され、この状態で上部ケース７がシールドケース１２と共に下部ケース８側の本体シャーシ１１に対して所定角度に開いた際に、係止支持部２３の前側上方に向けて移動させることにより、係止支持部２３から取り外せるように構成されている。
【００２５】
また、ストッパ部材２２は、図８および図９に示すように、支点部２１を中心に上部ケース７が下部ケース８に対して回動する際に、この上部ケース７内のシールドケース１２と共に一端部２５ａが移動し、その他端部２５ｂが下部ケース８内の本体シャーシ１１の側部上を移動する連動支持棒２５と、支点部２１を中心に上部ケース７が回動して下部ケース８に対して所定角度に開いた際に、連動支持棒２５の他端部２５ｂを係止して上部ケース７が閉じる方向に回動するのを阻止するストッパ片２６とを備えている。
【００２６】
すなわち、連動支持棒２５は、図８および図９に示すように、上部ケース７内のシールドケース１２に一端部２５ａが回転可能に取り付けられ、上部ケース７を下部ケース８に対して回動させて開く際に、一端部２５ａを中心に回動しながら、その他端部２５ｂが下部ケース８内の本体シャーシ１１の側部上をその後方（図８では右斜め上側）に向けて移動するように構成されている。また、この連動支持棒２５は、図９に示すように、上部ケース７が下部ケース８に対して所定角度に開いた際に、他端部２５ｂがストッパ片２６を乗り越えた後に、この他端部２５ｂが本体シャーシ１１の前側（図８では左斜め下側）に向けて移動してストッパ片２６に係止されるように構成されている。
【００２７】
ストッパ片２６は、図９に示すように、本体シャーシ１１の側部上に上方へ突出して設けられ、上部ケース７が支点部２１を中心に上方に回動して下部ケース８に対して所定角度に開いた際に、連動支持棒２５の他端部２５ｂが乗り越えた後に、上部ケース７が閉じる方向に回動して、その乗り越えた他端部２５ｂが本体シャーシ１１の側部上をその前側に向けて移動した際に、その他端部２５ｂを係止して連動支持棒２５を固定することにより、上部ケース７を所定角度に開いた状態で下部ケース８に対して支持するように構成されている。
【００２８】
この場合、ストッパ部材２２は、図３に示すように、入力表示装置２が上部ケース７上に搭載された状態で、上部ケース７が支点部２１を中心に回動して下部ケース８に対して所定角度に開いた際に、入力表示装置２の重心位置がストッパ部材２２のストッパ片２６よりも機器ケース１の前側に位置し、この状態でストッパ片２６が連動支持棒２５の他端部２５ｂを係止して上部ケース７を下部ケース８に対して支持するように構成されている。
【００２９】
また、この開閉機構部２０は、図８および図９に示すように、上部ケース７が支点部２１を中心に回動する際に、上部ケース７内のシールドケース１２を下部ケース８内の本体シャーシ１１に対してガイドするためのガイド部材２７を備えている。すなわち、このガイド部材２７は、上部ケース７内のシールドケース１２の側部に設けられたガイド溝部２８と、下部ケース８内の本体シャーシ１１の側部上に設けられて上部ケース７が支点部２１を中心に回動する際にガイド溝部２８内を相対的に移動するガイドローラ部２９とを備えている。
【００３０】
この場合、ガイド溝部２８は、図８および図９に示すように、シールドケース１２の後部側の側部に支点部２１を中心とする円弧状に形成されていると共に、その下端部がシールドケース１２の下端部に開放されている。また、ガイドローラ部２９は、下部ケース８内の本体シャーシ１１の側部上に設けられてガイド溝部２８に対面する固定片２９ａに支持軸２９ｂが設けられ、この支持軸２９ｂにローラ２９ｃが回転自在に取り付けられた構成になっている。
【００３１】
これにより、ガイドローラ部２９は、上部ケース７が支点部２１を中心に下部ケース８に対して回動する際に、ローラ２９ｃがシールドケース１２のガイド溝部２８内を回転しながら相対的に移動することにより、シールドケース１２を本体シャーシ１１に対してガイドするように構成されている。また、このガイドローラ部２９は、上部ケース７が下部ケース８に対して所定角度に開いて、上部ケース７を下部ケース８から取り外す際に、ローラ２９ｃがガイド溝部２８内から下側に抜け出すように構成されている。
【００３２】
ところで、機器ケース１には、図１および図３に示すように、上部ケース７と下部ケース８とを係脱可能にロックするロック部材３０が設けられている。このロック部材３０は、図３、図１０、図１１に示すように、上部ケース７の正面下部に設けられたロック操作部３１と、下部ケース８の正面上部に設けられてロック操作部３１をそのスライド操作に応じて係脱可能に係止するロック孔部３２とを備えている。
【００３３】
すなわち、上部ケース７のロック操作部３１は、図３に示すように、上部ケース７の正面下部に左右方向にスライドするスライド釦であり、図１０に示すように、上部ケース７内のシールドケース１２内に突出するフック３１ａが設けられた構成になっている。下部ケース８のロック孔部３２は、図１１に示すように、下部ケース８および本体シャーシ１１との正面上部に設けられた矩形状の孔であり、ロック操作部３１のフック３１ａが挿入した状態で、ロック操作部３１がスライドすると、フック３１ａがロック孔部３２の縁部を係止するように構成されている。
【００３４】
一方、部品ユニット１３は、図３および図５に示すように、上部ケース７をシールドケース１２と共に下部ケース８に対して所定角度に開いた状態で、主要回路基板であるマザーボード１４、補助回路基板１５、冷却ファン１６、回転式記録装置１７、ハードディスク１８などの各種の部品の保守点検および交換が可能な状態で、本体シャーシ１１に組み付けられている。
【００３５】
例えば、マザーボード１４は、図３および図５に示すように、本体シャーシ１１上におけるほぼ右半分の箇所に配置され、この状態で前部側がビス１４ａによって本体シャーシ１１上に上方から取り付けられ、後部側が図１２に示すように固定係止ピン３３によって固定されるように構成されている。すなわち、この固定係止ピン３３は、図１２に示すように、その上部に頭部３３ａと首部３３ｂとを有し、本体シャーシ１１の後部上に起立して設けられている。
【００３６】
この場合、固定係止ピン３３が対応するマザーボード１４の後部には、図１２に示すように、固定係止ピン３３を係脱可能に係止するピン固定孔３４が設けられている。このピン固定孔３４は、前側に頭部３３ａが挿入する大径孔部３４ａと、後側に首部３３ｂが挿入する小径孔部３４ｂとを有し、この大径孔部３４ａと小径孔部３４ｂとが前後に連続して形成されている。
【００３７】
これにより、マザーボード１４は、本体シャーシ１１上に取り付けられる際に、まず、後部側のピン固定孔３４を本体シャーシ１１上の固定係止ピン３３に対応させて、ピン固定孔３４の大径孔部３４ａに固定係止ピン３３の頭部３３ａを挿入させ、この状態でマザーボード１４を前側にスライドさせると、ピン固定孔３４の小径孔部３４ｂに固定係止ピン３３の首部３３ｂが挿入して、固定係止ピン３３の頭部３３ａがピン固定孔３４の小径孔部３４ｂの縁部を係止し、この状態でマザーボード１４の手前側をビス１４ａで本体シャーシ１１上に固定するように構成されている。
【００３８】
また、このマザーボード１４は、本体シャーシ１１から取り外す際に、まず、手前側のビス１４ａを取り外し、この状態でマザーボード１４を後部側に向けて押し込んでピン固定孔３４の小径孔部３４ｂから固定係止ピン３３の首部３３ｂを離脱させて、ピン固定孔３４の大径孔部３４ａに固定係止ピン３３の頭部３３ａを対応させ、この状態でマザーボード１４の後部側を持ち上げることにより、本体シャーシ１１から取り外せるように構成されている。
【００３９】
また、補助回路基板１５は、図５に示すように、マザーボード１４の前側上部に設けられたコネクタ部１５ａに上方から着脱可能に刺し込まれることにより、マザーボード１４に電気的に接続された状態で起立して取り付けられるように構成されている。これにより、補助回路基板１５は、図３に示すように、上部ケース７を下部ケース８に対して所定角度に開いた状態で、マザーボード１４のコネクタ部１５ａから取り外して交換することができるように構成されている。
【００４０】
冷却ファン１６は、部品ユニット１３を送風によって冷却するためのものであり、図５に示すように、補助回路基板１５の後部側に位置するマザーボード１４上に電気的に接続された状態で取り付けられている。回転式記録装置１７は、ＤＶＤ（デジタル・バーサタイル・ディスクドライブ）やＦＤＤ（フロッピー（登録商標）・ディスク・ドライブ）などの回転式の外部記録装置であり、衝撃やノイズに対して弱いため、図１３および図１４に示すように、マザーボード１４の左側に位置する本体シャーシ１１上にフローティング部材３５によって取り付けられている。
【００４１】
このフローティング部材３５は、図１３および図１４に示すように、金属製のばね部材３６と弾力性を有するジェル状の弾性片３７とを備えている。金属製のばね部材３６とジェル状の弾性片３７とは、それぞれ固有振動数が異なっている。すなわち、金属製のばね部材３６は、ジェル状の弾性片３７よりも、固有振動数が高く形成されており、ジェル状の弾性片３７は、ばね部材３６よりも、固有振動数が低く形成されている。
【００４２】
この場合、金属製のばね部材３６は、図１３および図１４に示すように、Ｕ字形状に折り曲げられた板ばねであり、その一端部（図１３では下端部）が本体シャーシ１１上にビス止めされ、他端部（図１３では上端部）が回転式記録装置１７の下面に弾接するように構成されている。これにより、金属製のばね部材３６は、回転式記録装置１７と本体シャーシ１１との両者に導通して電気的に接続した状態で、回転記録装置１７を本体シャーシ１１上に弾力的に保持するように構成されている。
【００４３】
また、ジェル状の弾性片３７は、図１３および図１４に示すように、回転式記録装置１７と本体シャーシ１１との両者に弾接して、回転記録装置１７を本体シャーシ１１上にばね部材３６と共に弾力的に保持するように構成されている。そして、この回転式記録装置１７は、図３に示すように、本体シャーシ１１上に取り付けられた一対の取付板３８の一方に１本のビス４１によって取り付けられている。
【００４４】
これにより、フローティング部材３５は、図１３および図１４に示すように、ばね部材３６と弾性片３７との両者の固有振動数が異なることにより、機器ケース１が衝撃を受けた際に、その衝撃をばね部材３６と弾性片３７との両者によって共振することなく、確実に吸収して、衝撃が回転式記録装置１７に伝わるのを防ぐと共に、回転式記録装置１７に発生した静電気を金属製のばね部材３６によって本体シャーシ１１に落として接地するように構成されている。
【００４５】
すなわち、このフローティング部材３５は、横方向（水平方向）の衝撃に対してばね部材３６が横方向に振動するが、Ｕ字形状に形成されていることにより、横方向の振動を上下方向の振動に変換し、この上下方向の振動をばね部材３６と弾性片３７とで減衰させるように構成されている。この場合、ばね部材３６は弾性片３７よりも固有振動数が高く形成され、ジェル状の弾性片３７はばね部材３６よりも固有振動数が低く形成されて、両者の固有振動数が異なっていることにより、上下方向の振動が共振するのを防ぐように構成されている。
【００４６】
ハードディスク１８は、図３および図５に示すように、本体シャーシ１１上に取り付けられた一対の取付板３８によって回転式記録装置１７の上方に位置した状態で取り付けられている。この場合、一対の取付板３８は、回転式記録装置１７の両側に位置する本体シャーシ１１上にそれぞれビス止めされている。この一対の取付板３８には、図１７に示すように、ハードディスク１８を着脱可能に取り付けるための前側フック部３８ａと後側フック部３８ｂとが設けられている。
【００４７】
すなわち、この一対の取付板３８の前側上部には、図１５〜図１７に示すように、前側フック部３８ａが前側に開放されて設けられており、この前側フック部３８ａには、リング状のゴムブッシュ３９がそれぞれ前側から嵌め込まれている。また、一対の取付板３８の後側上部には、後側フック部３８ｂが後側に開放されて設けられており、この後側フック部３８ｂにも、ゴムブッシュ３９がそれぞれ後側から嵌め込まれている。
【００４８】
そして、ハードディスク１８は、図１５に示すように、一対の取付板３８の間に配置され、この状態で各ゴムブッシュ３９にそれぞれビス４０を挿入させてハードディスク１８の両側の側面に螺着させることにより、一対の取付板３８の前側フック部３８ａおよび後側フック部３８ｂに各ブッシュ３９を介して取り付けられるように構成されている。
【００４９】
これにより、ハードディスク１８は、図１５〜図１７に示すように、一対の取付板３８から取り外す際に、前側フック部３８ａにブッシュ３９を介して取り付けられた前側２本のビス４０を取り外し、この状態でハードディスク１８を後方に向けて押し込むことにより、後側フック部３８ｂにブッシュ３９を介してビス４０がハードディスク１８に取り付けられていても、一対の取付板３８の各後側フック部３８ｂからハードディスク１８が取り外せるように構成されている。
【００５０】
次に、このような情報処理装置の作用について説明する。
この情報処理装置の機器ケース１内に組み込まれた部品ユニット１３における各種の部品の保守点検および交換をする際には、図３に示すように、機器ケース１の上部ケース７上に入力表示装置２を搭載した状態で、上部ケース７を下部ケース８に対して所定角度に開く。
【００５１】
このときには、図３に示すように、まず、上部ケース７の正面に設けられたロック部材３０のロック操作部３１をスライド操作して、ロック操作部３１のフック３１ａを下部ケース８の正面に設けられたロック孔部３２の縁部から離脱させることにより、ロック部材３０によるロックを解除する。これにより、工具を用いずに、上部ケース７を開閉させることができる。
【００５２】
この状態で、上部ケース７の前側を持ち上げると、上部ケース７が開閉機構部２０の支点部２１を中心に上方に回動して、図３に示すように、上部ケース７を下部ケース８に対して開くことができる。すなわち、上部ケース７は、その内部に取り付けられた金属製のシールドケース１２の係合軸部２４が下部ケース８内に取り付けられた本体シャーシ１１の係止支持部２３に係合した状態で、上部ケース７がシールドケース１２と共に上方に向けて回動して下部ケース８の本体シャーシ１１に対して所定角度に開く。
【００５３】
このときには、図８および図９に示すように、上部ケース７のシールドケース１２の回動に伴ってガイド溝部２８が支点部２１を中心に回転移動することにより、下部ケース８の本体シャーシ１１に設けられたガイドローラ部２９のローラ２９ｃがガイド溝部２８内を相対的に移動する。このため、ガイドローラ部２９によって上部ケース７のシールドケース１２がガイドされながら下部ケース８の本体シャーシ１１に対して上方に向けて安定した状態で回動する。
【００５４】
また、このときには、図８および図９に示すように、上部ケース７のシールドケース１２に回転自在に取り付けられたストッパ部材２２の連動支持棒２５の一端部２５ａがシールドケース１２の回動動作に応じて回転しながらシールドケース１２と共に上方に移動すると共に、連動支持棒２５の他端部２５ｂがシールドケース１２の回動動作に応じて下部ケース８の本体シャーシ１１上を後側（図９では右斜め上側）に向けて移動する。
【００５５】
そして、図３に示すように、上部ケース７が下部ケース８に対して所定角度に開いた際には、図９に示すように、連動支持棒２５の他端部２５ｂが本体シャーシ１１に設けられたストッパ片２６を乗り越えた後に、この他端部２５ｂが本体シャーシ１１の前側に向けて移動してストッパ片２６に係止される。
【００５６】
すなわち、このストッパ片２６は、図９に示すように、連動支持棒２５の他端部２５ｂが乗り越えた後に、上部ケース７が閉じる方向に少し回動し、その乗り越えた他端部２５ｂが本体シャーシ１１の側部上をその前側に向けて少し移動した際に、その他端部２５ｂを係止して連動支持棒２５を固定する。このため、上部ケース７に入力表示装置２が搭載されて重量が重くても、上部ケース７を下部ケース８に対して所定角度に開いた状態で、ストッパ部材２２によって上部ケース７を下部ケース８に対して安定させて確実に支持することができる。
【００５７】
この状態では、図３に示すように、機器ケース１内に組み込まれた部品ユニット１３が機器ケース１の前側に露出するので、部品ユニット１３の各種の部品、例えば主要回路基板であるマザーボード１４、補助回路基板１５、冷却ファン１６、回転式記録装置１７、ハードディスク１８の保守点検および交換をすることができる。例えば、補助回路基板１５は、マザーボード１４のコネクタ部１５ａから抜き取ることにより、簡単に取り外して交換することができる。また、冷却ファン１６は、マザーボード１４から取り外すことにより、簡単に交換することができる。
【００５８】
また、マザーボード１４は、手前側のビス１４ａを取り外した後に、マザーボード１４を後部側に押し込んでピン固定孔３４の小径孔部３４ｂから固定係止ピン３３の首部３３ｂを離脱させて、ピン固定孔３４の大径孔部３４ａに固定係止ピン３３の頭部３３ａを対応させ、この状態でマザーボード１４の後部側を持ち上げることにより、本体シャーシ１１から取り外すことができる。これにより、マザーボード１４を簡単に取り外して交換することができる。
【００５９】
また、ハードディスク１８は、一対の取付板３８に設けられた前側フック部３８ａにブッシュ３９を介して取り付けられた前側２本のビス４０を取り外し、この状態でハードディスク１８を後方に押し込むことにより、後側フック部３８ｂにブッシュ３９を介してビス４０によりハードディスク１８が取り付けられていても、一対の取付板３８の各後側フック部３８ｂからハードディスク１８を取り外すことができる。このため、ハードディスク１８を簡単に取り外して保守点検および交換ができる。
【００６０】
さらに、回転式記録装置１７は、一対の取付板３８の一方から１本のビス４１を取り外して本体シャーシ１１の前側に引き出すことにより、容易に本体シャーシ１１から取り外すことができる。このため、回転式記録装置１７を簡単に取り外して保守点検および交換ができる。このように、上部ケース７を下部ケース８に対して所定角度に開いた状態で、部品ユニット１３のマザーボード１４、補助回路基板１５、冷却ファン１６、回転式記録装置１７、ハードディスク１８の保守点検および交換を容易に行うことができる。
【００６１】
ところで、上部ケース７を下部ケース８に対して所定角度に開いた状態で、部品ユニット１３の各部品を簡単に取り外すことができない場合には、上部ケース７を下部ケース８に対して所定角度に開いた状態で、図５に示すように、上部ケース７を下部ケース８に対して取り外せば、部品ユニット１３の各部品を安全に且つ確実に交換することができる。  
【００６２】
すなわち、このときには、上部ケース７がシールドケース１２と共に上方に向けて回動して下部ケース８の本体シャーシ１１に対して所定角度に開いた際に、係止支持部２３に対する係合軸部２４の係合が解除可能な状態になるので、上部ケース７側の係合軸部２４を下部ケース８側の係止支持部２３の前側上方に向けて移動させて係止支持部２３から離脱させることにより、上部ケース７を前側に向けて移動させながら持ち上げれば、簡単に上部ケース７を下部ケース８から取り外すことができる。
【００６３】
このように、この情報処理装置によれば、上部ケース７が下部ケース８に対して開閉する機器ケース１内に、各種の部品を搭載した部品ユニット１３を設けた情報処理装置であって、上部ケース７を下部ケース８に対して支点部２１によって回動可能に支持すると共に、上部ケース７が下部ケース８に対して所定角度に開いた際に下部ケース８から上部ケース７を取り外し可能に支持し、且つこの支点部２１を中心に上部ケース７が回動して所定角度に開いた際に、ストッパ部材２２によって上部ケース７が閉じる方向に回動するのを阻止する構成であるから、機器ケース１の開閉構造における部品点数が少なく、機器ケース１の開閉構造が簡単で、機器ケース１の開閉操作が容易にでき、部品交換や保守点検などのメンテナンスを向上させることができる。
【００６４】
すなわち、この情報処理装置では、各種の部品を搭載した部品ユニット１３が機器ケース１の下部ケース８内に配置された状態で、機器ケース１の上部ケース７を下部ケース８に対して開閉する際に、支点部２１を中心に上部ケース７を下部ケース８に対して回動させるだけで、上部ケース７を下部ケース８に対して容易に開閉することができるので、機器ケース１の開閉操作が容易にできると共に、部品ユニット１３の部品交換や保守点検が容易にできるので、部品ユニット１３のメンテナンスを向上させることができる。
【００６５】
また、この情報処理装置では、上部ケース７を下部ケース８に対して所定角度に開いた際に、ストッパ部材２２によって上部ケース７を安定した状態で確実に下部ケース８に対して支持することができるので、部品ユニット１３の部品交換や保守点検が安全にできると共に、部品ユニット１３のメンテナンスを向上させることができる。特に、上部ケース７が下部ケース８に対して所定角度に開いた際に、上部ケース７を下部ケース８から取り外すことができるので、これによっても安全に部品ユニット１３の部品交換や保守点検ができると共に、組立て作業性の向上をも図ることができる。
【００６６】
この場合、支点部２１は、下部ケース８側に設けられた係止支持部２３と、上部ケース７側に設けられて係止支持部２３に係脱可能に係合する係合軸部２４とを備え、上部ケース７側の係合軸部２４が下部ケース８側の係止支持部２３に係合した状態で上部ケース７が下部ケース８に対して回動すると共に、上部ケース７が下部ケース８に対して所定角度に開いた際に係止支持部２３に対する係合軸部２４の係合が解除可能に構成されていることにより、支点部２１の構造が簡単であるばかりか、下部ケース８に対して上部ケース７を回動可能な状態で確実に連結して支持することができ、且つ上部ケース７を下部ケース８に対して所定角度に開いた際に、上部ケース７を下部ケース８から簡単に取り外すことができるので、組立て作業を容易にすることができる。
【００６７】
また、ストッパ部材２２は、支点部２１を中心に上部ケース７が下部ケース８に対して回動する際に、上部ケース７と共に一端部２５ａが移動し、その他端部２５ｂが下部ケース８側を移動する連動支持棒２５と、上部ケース７が下部ケース８に対して所定角度に開いた際に連動支持棒２５の他端部２５ｂを係止して上部ケース７が閉じる方向に回動するのを阻止するストッパ片２６とを備えているので、上部ケース７を下部ケース８に対して所定角度に開いた際に、ストッパ部材２２によって上部ケース７を下部ケース８に対して安定した状態で確実に且つ安全に支持することができ、これにより安全に部品ユニット１３の部品交換や保守点検ができる。
【００６８】
また、この情報処理装置によれば、支点部２１を中心に上部ケース７が回動する際に、上部ケース７を下部ケース８に対してガイドするガイド部材２７を備えているので、支点部２１を中心に上部ケース７が回動する際に、上部ケース７を下部ケース８に対して安定させた状態で開閉することができる。すなわち、このガイド部材２７は、上部ケース７内のシールドケース１２の側部に設けられたガイド溝部２８と、下部ケース８内の本体シャーシ１１の側部上に設けられてガイド溝部２８内を相対的に移動するガイドローラ部２９とを備えているので、上部ケース７が支点部２１を中心に回動する際に、ガイドローラ部２９がガイド溝部２８に沿ってガイドされて相対的に移動することにより、上部ケース７を下部ケース８に対して安定させた状態で安全に開閉することができる。
【００６９】
さらに、この情報処理装置によれば、上部ケース７と下部ケース８とを係脱可能にロックするロック部材３０が設けられているので、上部ケース７の正面に設けられたロック部材３０のロック操作部３１をスライド操作して、ロック操作部３１のフック３１ａを下部ケース８の正面に設けられたロック孔部３２の縁部から離脱させることにより、ロック部材３０によるロックを解除することができ、これにより工具を用いずに、上部ケース７を下部ケース８に対して開閉させることができる。
【００７０】
また、この情報処理装置によれば、上部ケース７上に入力表示装置２が支持部材５によって前後方向の傾きを調整可能に取り付けられていることにより、入力表示装置２を上部ケース上において前後方向に自由に傾けて使用者が入力表示装置２の入力表示パネル４に表示された情報を見やすくすることができると共に、上部ケース７上に入力表示装置２を搭載した状態でも、容易に上部ケース７を下部ケース８に対して開いて、部品ユニット１３の保守点検および部品交換ができる。
【００７１】
また、この情報処理装置では、ストッパ部材２２が、入力表示装置２を上部ケース７上に取り付けた状態で、上部ケース７が支点部２１を中心に回動して下部ケース８に対して所定角度に開いた際に、入力表示装置２の重心位置がストッパ部材２２のストッパ片２６よりも機器ケース１の前側に位置し、この状態でストッパ片２６が連動支持棒２５の他端部２５ｂを係止して上部ケース７を支持するので、上部ケース７上に入力表示装置２を搭載して重量が重い状態でも、上部ケース７を下部ケース８に対して開いた状態で、安定させて支持することができ、これにより安全に部品ユニット１３の保守点検および部品交換ができる。
【００７２】
さらに、この情報処理装置では、衝撃やノイズに対して弱い回転式記録装置１７を金属製のばね部材３６とジェル状の弾性片３７とからなるフローティング部材３５によって本体シャーシ１１上に取り付け、且つ金属製のばね部材３６とジェル状の弾性片３７との固有振動数が異なっているので、機器ケース１が衝撃を受けた際に、その衝撃をばね部材３６と弾性片３７との両者によって共振を防いで確実に吸収することができ、これにより衝撃が回転式記録装置１７に伝わるのを防ぐと共に、回転式記録装置１７に発生した静電気を金属製のばね部材３６によって本体シャーシ１１に落として接地することができる。
【００７３】
なお、前述した一実施形態では、機器ケース１の下部ケース８内に、部品ユニット１３を搭載する本体シャーシ１１を設け、機器ケース１の上部ケース７内に部品ユニット１３の上部側を覆うシールドケース１２を設けた場合について述べたが、これに限らず、本体シャーシ１１およびシールドケース１２を用いずに、下部ケース８内に部品ユニット１３を直接設け、この部品ユニット１３の上部側を上部ケース７で直接覆うように構成しても良い。
【００７４】
また、前記一実施形態では、情報処理装置として、販売管理、会計、給与計算などの事務処理を行うデータ処理装置に適用した場合について述べたが、必ずしも事務処理を行うデータ処理装置である必要はなく、各種の部品を有する部品ユニットを搭載する機器ケースが上部ケースと下部ケースとに分割され、且つ上部ケースが下部ケースに対して回動して開閉する構造の情報処理装置、例えばパーソナルコンピュータなどの情報処理装置に広く適用することができる。
【符号の説明】
【００７５】
１  機器ケース
２  入力表示装置
７  上部ケース
８  下部ケース
１０  装置本体
１１  本体シャーシ
１２  シールドケース
１３  部品ユニット
１４  マザーボード
１５  補助回路基板
１６  冷却ファン
１７  回転転式記録装置
１８  ハードディスク
２０  開閉機構部
２１  支点部
２２  ストッパ部材
２３  係止支持部
２４  係合軸部
２５  連動支持棒
２５ａ  連動支持棒の一端部
２５ｂ  連動支持棒の他端部
２６  ストッパ片
２７  ガイド部材
２８  ガイド溝部
２９  ガイドローラ部
３０  ロック部材
【図１】
2010181944.tif 000003
【図２】
2010181944.tif 000004
【図３】
2010181944.tif 000005
【図４】
2010181944.tif 000006
【図５】
2010181944.tif 000007
【図６】
2010181944.tif 000008
【図７】
2010181944.tif 000009
【図８】
2010181944.tif 000010
【図９】
2010181944.tif 000011
【図１０】
2010181944.tif 000012
【図１１】
2010181944.tif 000013
【図１２】
2010181944.tif 000014
【図１３】
2010181944.tif 000015
【図１４】
2010181944.tif 000016
【図１５】
2010181944.tif 000017
【図１６】
2010181944.tif 000018
【図１７】
2010181944.tif 000019